(57)【要約】    【課題】  ノート紙片に封筒が一体化されており、該封筒を切り離し、直ちに封書として投函することが可能な封筒組込みノートを提供する。    【解決手段】  少なくとも１枚のノート紙片２が綴じられたノートであって、該ノート紙片２において、切断線６を介して封筒４が一体化されており、該封筒４が一辺に開口４ａを有し、該一辺を除く外周縁部分で接合されており、該４ａを閉じるためのフラップ４ｂが一体に設けられている、封筒組込みノート１。【選択図】      図１
2006142753.tif 000002
【特許請求の範囲】
【請求項１】
複数枚のノート紙片が一端側で綴じられているノートにおいて、
前記少なくとも１枚のノート紙片において封筒が形成されており、該封筒の一辺がノート紙片の残りの部分から切り離し可能なようにノート紙片に切断線が設けられており、前記封筒がノート紙片を折り返すことにより形成された第１，第２の主面を有し、第１，第２の主面が開口が設けられた一辺を除く外周縁部分で接合されており、該開口が設けられた一辺の外側にフラップが一体的に形成されていることを特徴とする、封筒組込みノート。
【請求項２】
前記切断線がノート紙片にミシン目状の切断線を形成することにより設けられている、請求項１に記載の封筒組込みノート。
【請求項３】
前記封筒が設けられたノート紙片に加えて、封筒が設けられていない少なくとも１枚のノート紙片を有する、請求項１または２に記載の封筒組込みノート。
【発明の詳細な説明】
【技術分野】
【０００１】
本発明は、複数枚のノート紙片が綴じられたノートに関し、より詳細には、少なくとも１枚のノート紙片を用いて封筒が形成されている封筒組込みノートに関する。
【背景技術】
【０００２】
従来、ノートのノート紙片をポストカードや便箋等として用いることを可能としたレターセット・ノートが知られている。
【０００３】
例えば、下記の特許文献１には、複数枚のノート紙片が綴じられたレターセット・ノートが開示されている。ここでは、ノート紙片の一部がミシン目により切断され、分離され得るように構成されている。そして、分離され得る部分においてポストカードが形成されている。従って、ノート紙片の一部をミシン目から切り取り、そのままポストカードとして用いることが可能とされている。
【０００４】
また、特許文献１には、ポストカードが具体的な実施例として示されているが、特許文献１では、ポストカードだけでなく、ノート紙片の一部を用いて封筒や便箋を形成してもよい旨が示されている。しかしながら、特許文献１では、ノート紙片の一部を用いて便箋や封筒を形成することは示されているものの、封筒については具体的な構成は示されていない。
【０００５】
また、下記の特許文献２には、ミシン目もしくは切り取り線を設けた連続用紙を用いた封筒が開示されている。ここでは、プリンタなどに供給される連続用紙に、封筒を展開した形状部分が設けられている。連続用紙から該展開形状部分を切り離した後に、折り畳み、糊付け等を行い、製袋することにより封筒が得られるとされている。
【０００６】
また、下記の特許文献３では、予め切断可能なミシン目部分が設けられた発送返信用封筒が、本の少なくとも１枚のページに接着剤等により貼り付けられた発送返信用封筒貼付機能付本が開示されている。
【特許文献１】実開昭６３−１２８０６２号公報
【特許文献２】特開２００４−１８１０６号公報
【特許文献３】特開２００１−４７７６５号公報
【発明の開示】
【発明が解決しようとする課題】
【０００７】
上記のように、特許文献１に記載のレターセット・ノートでは、ミシン目からノート紙片を切り取り、直ちにポストカードとして用いることが可能なレターセット・ノートが示されており、該レターセット・ノートは、封筒や便箋にも適用され得る旨が示唆されている。しかしながら、ここでは、ノート紙片の一部によりポストカード、便箋及び封筒とすることができる旨が示されているだけであり、封筒については、具体的にはどのような状態で用意されるかについては何ら示されていない。
【０００８】
他方、特許文献２に記載の封筒では、連続用紙に、封筒を展開した形状部分が配置されており、連続用紙から上記展開部分を切り離した後には、使用者が展開部分を折り、糊付け等により製袋しなければならなかった。すなわち、切り離し後に、直ちに封筒として用いることはできなかった。
【０００９】
さらに、特許文献３に記載の発送返信用封筒貼付機能付本では、封筒は完成されているものの、本のページに接着剤を用いて封筒が貼付されているものであるため、製造コストが高くつかざるを得なかった。また、封筒が除去された後には、本を構成しているページ自体は残存するため、無駄な紙片が必要であり、コストが高くつくだけでなく、厚みが厚くならざるを得なかった。
【００１０】
本発明の目的は、上述した従来技術の現状に鑑み、綴じられたノートから切り離し、直ちに封筒として用いることを可能とする封筒組込みノートを提供することにある。
【課題を解決するための手段】
【００１１】
本発明によれば、複数枚のノート紙片が一端側で綴じられているノートにおいて、前記少なくとも１枚のノート紙片において封筒が形成されており、該封筒の一辺がノート紙片の残りの部分から切り離し可能なようにノート紙片に切断線が設けられており、前記封筒がノート紙片を折り返すことにより形成された第１，第２の主面を有し、第１，第２の主面が、開口が設けられた一辺を除く外周縁部分で接合されており、該開口が設けられた一辺の外側にフラップが一体的に形成されていることを特徴とする、封筒組込みノートが提供される。
【００１２】
本発明に係る封筒組込みノートのある特定の局面では、上記切断線が、ミシン目をノート紙片に形成することにより設けられている。この場合には、機械加工によりミシン目を形成することにより切断線を容易に形成することができ、安価な封筒組込みノートを提供することができる。
【００１３】
また、本発明に係る封筒組込みノートのさらに他の特定の局面では、上記封筒が構成されているノート紙片に加えて、封筒が構成されていない少なくとも１枚のノート紙片が設けられている。従って、封筒が設けられている通信機能を有するノート紙片以外に、封筒を発送した発送先や、封書の内容をメモするためのスペースが、上記封筒が形成されていないノート紙片に記録され得る。従って、封筒の発送先の管理や封書の内容を記憶するメモとしての機能をも有する封筒組込みノートを提供することができる。
【００１４】
また、封筒が設けられていないノート紙片をさらに有する場合、該ノート紙片を便箋代わりに用いてもよい。従って、封筒が構成されていないノート紙片に手紙の内容を記載し、しかる後ノート紙片を封筒に挿入するだけで、便箋及び封筒の双方が本発明の封筒組込みノートにより提供され得る。
【００１５】
従って、ユーザーは筆記具のみを用意すれば、本発明の組込みノートを用いて直ちに封書を作成し、投函することが可能となる。
【発明の効果】
【００１６】
本発明に係る封筒組込みノートでは、上記のように少なくとも１枚のノート紙片において、そのまま封筒として用いることができる封筒部分が構成されている。そして、この封筒は一辺において切断線を介して切り取り可能とされているため、該切断線から切り取るだけで、直ちに封筒として用いることができる。すなわち、開口を有する一辺の該開口から封筒に入れる書面を挿入し、フラップを封筒の主面に重ね、糊付け等により接合するだけで、直ちに投函することができる。
【００１７】
そして、該封筒がノート紙片に一体に構成されているため、余分な資材を必要とすることなく、かつ余分な厚みの増大を招くことなく封筒組込みノートを構成することができる。
【発明を実施するための最良の形態】
【００１８】
以下、図面を参照しつつ本発明の具体的な実施形態を説明することにより、本発明を明らかにする。
【００１９】
図１（ａ）は、本発明の一実施形態に係る封筒組込みノートを示す模式的平面図であり、（ｂ）は、封筒が一体化されたノート紙片を示す平面図である。
【００２０】
封筒組込みノート１は、少なくとも１枚の封筒が構成されたノート紙片２を有する。また、本実施形態の封筒組込みノート１では、封筒が一体化されていない少なくとも１枚のノート紙片３もノート紙片２と共に綴じられている。
【００２１】
図１（ｂ）に示すように、封筒４が一体化されているノート紙片２においては、一端側にノート紙片２を綴じるための多数の貫通孔５が上下方向に延びるように整列形成されている。この貫通孔５は、封筒組込みノート１において綴じリング６によりノート紙片を綴じるために設けられている。そして、整列されている貫通孔５の側方において上下に延びるように切断線６がミシン目を形成することにより設けられている。この切断線６は、封筒４をノート紙片２において切断線６から切断し、分離するために設けられている。
【００２２】
従って、切断線６は、上記分離が容易であれば、ミシン目以外の他の加工方法により形成されてもよい。もっとも、ミシン目加工は汎用されているため、ミシン目により切断線６を形成することが、コストを低減することができるため好ましい。
【００２３】
他方、封筒４は、既に封筒として完成されているものである。本実施形態では、封筒４は、矩形の形状を有し、矩形の第１の主面４ａと第２の主面とが三辺で接合されている。矩形の封筒４の上方の一辺では、両主面は接合されておらず、開口４ｂが設けられている。そして、開口４ｂが設けられている部分においては、封筒の第２の主面に一体に、上方に延びるようにフラップ４ｃが形成されている。フラップ４ｃは、開口４ｂを閉じ、封筒４の第１の主面４ａの外表面に糊等により貼り付けられる。図２に図１のＡ−Ａ線に沿う断面図で示すように、封筒４は、ノート紙片２に一体化され、かつノート紙片２と一体化された状態で完成されている。封筒４の上下方向に延びる一方の側縁はノート紙片を折り返すことにより形成されている。すなわち、ノート紙片２を貫通孔５とは反対側で折り返し部４ｄで折り返すことにより、封筒４の第１の主面４ａが構成されている。そして、折り返された側の主面４ａの折り返し部４ｄ側とは反対側の端部４ｅ近傍が他方主面である第２の主面４ｆと糊等により接着され、封筒が完成されている。なお、特に図示はしないが、図１（ｂ）のフラップ４ｃが設けられている側とは反対側の端部、すなわち図１（ｂ）上における下方側の辺も糊付けにより綴じられている。
【００２４】
従って、本実施形態の封筒組込みノート１を用いた場合、ノート紙片２において切断線６から封筒４を切り取るだけで、直ちに封筒４として用いることができる。特に、封筒が一体化されていないノート紙片３に文章等を記入し、ノート紙片３を便箋としてそのまま用いることも可能である。その場合には、ノート紙片３からなる便箋を封筒４に封入し、直ちに封書を完成させることができる。このようにして、図３に示すように、封筒４のフラップ３ｂが糊付けされた側とは反対側の面に宛名「ＡＢＣＤ様」を記入し、切手７を貼付することにより直ちに投函することができる。
【００２５】
なお、封筒組込みノート１では、封筒が一体化されていない少なくとも１枚のノート紙片３がノート紙片２と共に綴じられていたが、封筒が一体化されていないノート紙片３が綴じられていなくてもよい。
【００２６】
また、ノート紙片２では、上方に開口を有する封筒４が設けられていたが、封筒として一辺に開口を有する限り、封筒の形態は特に限定されない。すなわち、上端縁ではなく、綴じられている側とは反対側の端縁が開口とされている封筒であってもよい。また、封筒の形状についても、縦長ではく、横長型の矩形の形状、あるいは矩形以外の形状であってもよい。
【図面の簡単な説明】
【００２７】
【図１】（ａ）は本発明の一実施形態の封筒組込みノートの平面図、（ｂ）は該封筒組込みノートにおいて封筒が一体化されているノート紙片の模式的平面図。
【図２】図１（ａ）のＡ−Ａ線に沿う断面図。
【図３】図１に示した封筒組込みノートから切り離された封筒に宛名を記載した状態を示す模式的平面図。
【符号の説明】
【００２８】
１…封筒組込みノート
２…ノート紙片
３…ノート紙片
４…封筒
４ａ…開口
４ｂ…主面
４ｃ…フラップ
４ｄ…折り返し部
４ｅ…端縁
４ｆ…主面
５…貫通孔
６…切断線
７…切手
【図１】
2006142753.tif 000003
【図２】
2006142753.tif 000004
【図３】
2006142753.tif 000005